(57)【要約】【課題】本発明は、用紙のサイズに関係なく、紙送りドラムの回転速度を一定にして複数枚の用紙をシートフィニッシャに供給し、用紙搬送時間のロスなしに正確に揃えて排出できるシートフィーダを提供することを目的としている。【解決手段】本発明のシートフィーダには、紙送りドラム１０５の外側に所定の間隔で設置される給紙グリップ３６ａ、３６ｂ、３６ｃ、３６ｄと、紙送りドラム１０５の外側を経由して搬送される用紙を給紙グリップが選択的に掴むことを可能にする給紙グリップコントローラ（カム）４２とが含まれる。給紙グリップによって掴まれた用紙は、用紙ガイド５０によってバッファされ、用紙ガイドが開放されたときに排紙経路１０８を経由してシートフィニッシャに排出される。紙送りドラム１０６には、一定の間隔で設けられた複数の支持リング３３ａ、３３ｂ、３３ｃ、３３ｄと、支持リングの間にそれぞれ形成される給紙ローラ３４ａ、３４ｂ、３４ｃ、３４ｄと、支持リング及びローラを固定する中心軸３５とが含まれる。給紙グリップは、支持リングに設けられる。【選択図】図４
2008512329.tif 000002
【特許請求の範囲】
【請求項１】
紙搬送経路（１０６）及び排紙経路（１０７、１０８）に連結されるように形成された紙送りドラム（１０５）と、前記紙搬送経路及び前記紙送りドラムを経由して供給される用紙をバッファし、前記バッファされた用紙を前記排紙経路（１０８）に排出するバッファ手段（５５）とを含むバッファ部付シートフィーダであって、
前記紙送りドラム（１０５）の外側に一定の間隔で設けられる給紙グリップ（３６ａ、３６ｂ、３６ｃ、３６ｄ）と、
前記紙送りドラム（１０５）の外側を経由して搬送される用紙を前記給紙グリップが選択的に掴むことを可能にする給紙グリップコントローラ（４２）とを含み、
前記バッファ手段が、前記掴まれた用紙のうち所定枚数の用紙を連続的にバッファすることを特徴とするバッファ部付シートフィーダ。
【請求項２】
前記給紙グリップ（３６ａ、３６ｂ、３６ｃ、３６ｄ）が、前記紙搬送経路（１０６）の出口位置で作動するようにされ、
前記バッファ手段が、前記排紙経路（１０８）の入口位置で作動するようにされることを特徴とする請求項１に記載のバッファ部付シートフィーダ。
【請求項３】
前記排紙経路が、前記紙送りドラム（１０５）の外側に隣接して該紙送りドラムの外側に沿って円周方向に設けられ、
前記バッファ手段が、前記複数の排紙経路（１０７、１０８）から選択されるいずれか１つの排紙経路（１０８）に設けられ、
その他の排紙経路（１０７）には分岐フリップ（１１０）が設けられることを特徴とする請求項１に記載のバッファ部付シートフィーダ。
【請求項４】
前記紙送りドラム（１０５）が、
一定の間隔で設けられた複数の支持リング（３３ａ、３３ｂ、３３ｃ、３３ｄ）と、
前記支持リングの間にそれぞれ形成される給紙ローラ（３４ａ、３４ｂ、３４ｃ、３４ｄ）と、
前記支持リング及び前記ローラを固定する中心軸（３５）とを含み、
前記給紙グリップが、前記支持リング中に設けられることを特徴とする請求項１乃至請求項３のいずれかに記載のバッファ部付シートフィーダ。
【請求項５】
前記給紙グリップが、第１延長部（４１ａ）及び第２延長部（４１ｂ）を含み、両者の間には前記第１延長部（４１ａ）及び前記第２延長部（４１ｂ）を前記紙送りドラムの支持リング（３３ａ、３３ｂ、３３ｃ、３３ｄ）に回転可能に固定するための固定軸（３９）が間挿され、
前記第１延長部が、前記支持リングの中心軸と前記支持リングの間に配置された可撓軸（３８）に固定され、カム（４２）が給紙グリップコントローラとして働き、前記可撓軸が前記カムの所定の位置に押されたときに、前記紙搬送経路（１０６）を経由して移動する用紙を前記第２延長部（４１ｂ）が掴むことができるように前記カムが開かれることを特徴とする請求項４記載のバッファ部付シートフィーダ。
【請求項６】
前記第２延長部の端部が、前記第２延長部を固定する前記支持リングの外面に密着され、用紙を掴むときに前記給紙ローラの外側と実質的にぴったり重なることを特徴とする請求項５に記載のバッファ部付シートフィーダ。
【請求項７】
前記第１延長部が、前記支持リング上に張力を及ぼすように前記支持リングに固定されたばね（４４）を含むことを特徴とする請求項５に記載のバッファ部付シートフィーダ。
【請求項８】
前記カムが、前記可撓軸の押し付けられる位置を制御することができるポジションコントローラ（４３）を含み、前記ポジションコントローラが、前記カムに固定された支持リングの中心軸の周りを所定の角度で回転させられることを特徴とする請求項５に記載のバッファ部付シートフィーダ。
【請求項９】
前記バッファ手段が、ソレノイド（５１）によって制御される用紙ガイド（５０）を含むことを特徴とする請求項２に記載のバッファ部付シートフィーダ。
【発明の詳細な説明】
【技術分野】
【０００１】
本発明は、プリンター、複写機等の画像形成装置から排出される用紙をステープラー、製本装置等のフィニッシャに供給するシートフィーダ（給紙装置）に関し、詳細には、画像形成装置から排出される用紙がシートフィニッシャの速度に関係なく一定時間で正確に揃えられるようにしたバッファ部付シートフィーダに関する。
【背景技術】
【０００２】
従来技術のシートフィーダについては、特許文献１に開示されている。
【０００３】
従来技術のシートフィーダについて、図１乃至図３を参照して説明する。
【０００４】
従来技術のシートフィーダ３は、プリンター、複写機等の画像形成装置１から排出される用紙をシートフィニッシャ２に供給するかまたはフィニッシング（仕上げ）過程がない場合には排出トレイ４に排紙するのに役立つ。シートフィーダ３には、紙送りドラム５、紙搬送経路６、紙送りドラム上に設けられる複数の分岐フリップ（反転部）１０及び１１、分岐フリップに接続される排紙経路７及び８が含まれる。紙搬送経路及び排紙経路には、多数のローラ対が設けられる。紙搬送経路６には用紙の動きを感知するセンサ３１が設けられ、紙送りドラム５には用紙の位置を感知するセンサ３２が設けられる。
【０００５】
上記した従来技術のシートフィーダ３は、用紙Ｐ１が画像形成装置１から紙搬送経路６を経由して搬送されるならば、回転紙送りドラム５に沿って用紙を搬送するのに役立つ。
【０００６】
それと同時に、用紙をシートフィニッシャ１に搬送するために、分岐フリップ１０及び１１は、所定枚数の用紙がバッファされるまで、紙送りドラムに沿って用紙Ｐ１を回転させるように働く。用紙Ｐ１を紙送りドラム５に沿って搬送させるときに用紙Ｐ２が紙搬送経路６に搬送されると、図１に示されるように用紙Ｐ１の前端部が用紙Ｐ２の前端部と実質的にぴったり重なるように、用紙Ｐ２は紙送りドラムに搬送される。同様に、図２に示されるように用紙Ｐ１の前端部が用紙Ｐ２の前端部と実質的にぴったり重なるように、用紙Ｐ３が紙送りドラムに搬送される。互いにぴったり重なるように揃えられた用紙Ｐ１、Ｐ２、Ｐ３の束は、図３に示されるように分岐フリップ１１の制御下で排紙経路８に送られる。用紙Ｐ１、Ｐ２、Ｐ３の束は、その後、シートフィニッシャ２によってフィニッシングが行われ、排出トレイ１４に排出される。用紙Ｐ１、Ｐ２、Ｐ３の前端部が互いにぴったり重なることができるようにするため、用紙の前端部がセンサ３２によって感知されるようにセンサ３１が用紙の移動を感知するとき、紙送りドラム５の回転速度は適切に調節されるものとする。
【０００７】
上記した従来技術のシートフィーダ３において、紙送りドラム５の回転速度は用紙のサイズに応じて変えられ、用紙は紙送りドラム５上に設けられたローラによって動かされる。この場合、用紙を揃える際に紙詰まりまたはエラーが発生し易い。特に、小さいサイズの用紙を送るときには、紙送りドラム５の回転速度は過度に速くなる。大きいサイズの用紙を送るときには、用紙を正確に揃えた状態で用紙をバッファすることは難しい。
【特許文献１】米国特許第６，２８３，４７０号明細書
【発明の開示】
【発明が解決しようとする課題】
【０００８】
本発明は、従来技術の制限及び欠点に起因する１若しくは複数の問題を実質的に未然に防ぐバッファ部付シートフィーダに向けられている。
【０００９】
従って、本発明の目的は、バッファ部付シートフィーダであって、紙送りドラムが、用紙のサイズに関係なく、複数枚の用紙をシートフィニッシャに供給しかつ用紙を正確に揃えた後で用紙を排出するために、一定の回転速度を有するようなシートフィーダを提供することである。
【課題を解決するための手段】
【００１０】
これらの及び他の利点を達成するため、かつ本発明の目的に基づき、実施形態として広範に説明されるように、本発明のシートフィーダには、紙送りドラムを構成する複数の支持リング上に一定の間隔で設けられる給紙グリップと、給紙グリップの動作を制御するカムと、用紙を順序良く一時的にバッファする用紙ガイド（エンドフェンス）とが含まれ、これらは給紙グリップに引っ掛けられた状態で支持リングの外側に沿って動かされる。
【００１１】
カムは、紙搬送経路の出口位置に設けられ、用紙ガイドは、複数の排紙経路から選択される１つの排紙経路の入口位置に設けられる。用紙ガイドが設けられないその他の排紙経路には、分岐フリップが設けられる。
【００１２】
給紙グリップが紙搬送経路の出口位置に到達したときに、対応する給紙グリップの外側端が紙送りドラム即ち支持リングの外側に送られるように、かつ、紙搬送経路を経由して移動する用紙の前端部が給紙グリップの外側端に引っ掛けられたときに、用紙の前端部を掴んだ状態で給紙グリップの外側端が元の位置に戻るように、カムは構成される。
【００１３】
所定枚数の用紙がセットされかつバッファされるとき、用紙ガイドは自動的に開放され、用紙の束が排紙経路に排出される。
【００１４】
用紙がバッファされることなく１枚ずつ順次排紙されるのであれば、紙送りドラムは、給紙グリップ及び用紙ガイドが作動しない状態で回転させられ、紙送りドラム（支持リングの外側）に沿って動く用紙は、分岐フリップによって選択された排紙経路に排出される。
【発明の効果】
【００１５】
本発明のバッファ部付シートフィーダにおいては、複数の給紙グリップ３６ａ、３６ｂ、３６ｃ、３６ｄが紙送りドラム１０５の外側に所定の間隔で設けられ、紙送りドラムの外側を経由して搬送される用紙を給紙グリップが選択的に掴むことを可能にするカム４２が設けられ、紙送りドラムを経由して移動する所定枚数の用紙が給紙グリップによって掴まれた状態でバッファされるように、ソレノイドによって駆動される用紙ガイド５０が設けられる。それによって、シートフィニッシャの作動状態に関係なく一定時間で正確に給紙が行われることができる。
【００１６】
更に、用紙は、前にバッファされた用紙の後端部に位置するように搬送され、給紙グリップによって掴まれた状態でバッファされるので、紙詰まりが発生せず、用紙のバッファ順は変わらない。
【発明を実施するための最良の形態】
【００１７】
これらの及び他の利点を達成するため、かつ本発明の目的に基づき、紙搬送経路１０６及び排紙経路１０７、１０８に連結されるように形成された紙送りドラム１０５と、紙搬送経路及び紙送りドラムを経由して供給される用紙をバッファして当該バッファされた用紙を排紙経路１０８に排出するバッファ手段５５とを含む本発明のバッファ部付シートフィーダにおいて、シートフィーダには、紙送りドラム１０５の外側に所定の間隔で設けられる給紙グリップ３６ａ、３６ｂ、３６ｃ、３６ｄと、紙送りドラム１０５の外側を経由して搬送される用紙を給紙グリップが選択的に掴むことを可能にする給紙グリップコントローラ４２とが含まれる。
【００１８】
バッファ手段は、掴まれた用紙のうち所定枚数の用紙を連続的にバッファする。
【００１９】
給紙グリップ３６ａ、３６ｂ、３６ｃ、３６ｄは、紙搬送経路１０６の出口位置で作動するようにされ、バッファ手段は、排紙経路１０８の入口位置で作動するようにされる。
【００２０】
排紙経路は、紙送りドラム１０５の外側に隣接して紙送りドラムの外側に沿って円周方向に設けられ、バッファ手段５５は、複数の排紙経路から選択されるいずれか１つの排紙経路に設けられ、その他の排紙経路には、分岐フリップ１１０が設けられる。
【００２１】
特に、紙送りドラム１０５には、一定の間隔で配置された複数の支持リング３３ａ、３３ｂ、３３ｃ、３３ｄと、支持リングの間にそれぞれ形成される給紙ローラ３４ａ、３４ｂ、３４ｃ、３４ｄと、支持リング及びローラを固定する中心軸３５とが含まれ、給紙グリップは支持リング中に設けられている。
【００２２】
給紙ローラには、その外側にアイドルローラ３７ａ、３７ｂ、３７ｃ、３７ｄが設けられる。
【００２３】
給紙グリップには、第１延長部４１ａ及び第２延長部４１ｂが含まれ、両者の間には第１延長部４１ａ及び第２延長部４１ｂを紙送りドラムの支持リング３３ａ、３３ｂ、３３ｃ、３３ｄに回転可能に固定するための固定軸３９が間挿されている。第１延長部は、中心軸と支持リングの間に配置された可撓軸３８に固定され、カム４２が給紙グリップコントローラとして働き、可撓軸がカム４２の所定の位置に押されたときに、紙搬送経路１０６を経由して移動する用紙を第２延長部４１ｂが掴むことができるようにカム４２が開かれる。
【００２４】
第２延長部の端部は、第２延長部を固定する支持リングの外側に密着され、用紙を掴むときに給紙ローラの外側と実質的にぴったり重なる。
【００２５】
第１延長部には、支持リング上に張力を及ぼすように支持リングに固定された弾性体（ばね）４４が含まれる。
【００２６】
カムには、可撓軸の押し付けられる位置を制御することができるポジションコントローラ４３が含まれ、ポジションコントローラは、カムに固定された支持リングの中心軸の周りを所定の角度で回転させられる。
【００２７】
バッファ手段には、ソレノイド５１によって制御される用紙ガイド５０が含まれる。
【００２８】
本発明に基づくシートフィーダ１０３について、図４乃至図１８を参照して説明する。
【００２９】
図４乃至図６から分かるように、本発明のシートフィーダ１０３には、紙搬送経路１０６及び複数個の排紙経路１０７、１０８に連結されるように形成された円筒型の紙送りドラム１０５が含まれる。紙送りドラム１０５には、一定の間隔で設けられた複数の支持リング３３ａ、３３ｂ、３３ｃ、３３ｄと、支持リングの間にそれぞれ形成される給紙ローラ給紙ローラ３４ａ、３４ｂ、３４ｃ、３４ｄと、支持リング及び給紙ローラを固定する中心軸３５と、それぞれ給紙ローラに隣接するアイドルローラ３７ａ、３７ｂ、３７ｃ、３７ｄとが含まれる。紙送りドラム１０５は、中心軸３５の周りを回転させられる。紙送りドラムを構成するそれぞれの支持リングには、給紙グリップ３６ａ、３６ｂ、３６ｃ、３６ｄが支持リングの外側に沿って一定の間隔で設けられている。
【００３０】
給紙グリップの構造及び作動については、図７を参照して詳細に説明する。
【００３１】
図７に示される給紙グリップ３６ｄには、第１延長部４１ａと、第２延長部４１ｂと、第１延長部と第２延長部の間に間挿されてかつ支持リング３３ｄに回転可能に固定されている固定軸３９とが含まれる。
【００３２】
給紙グリップ３６ｄの第１延長部４１ａは、可撓軸３８に沿って支持体の外側に張力を及ぼすようにばね４４によって固定される。可撓軸３８は、支持リング３３ｄと中心軸３５の間に固定される。ばね４４が上記のように第１延長部上に固定され、第１延長部を支持リング３３ｄに向けて引っ張ると、第２延長部４１ｂは、可撓軸３８に外部から負荷が掛からない限り、支持リング３３ｄの外側に密着される。このように、第２延長部４１ｂは支持リング３３ｄの外側に接触して維持される。
【００３３】
ばね４４は、ばね支持体４５が備えられているので、可撓軸３８及び第１延長部に固定される。ばね支持体４５は、ばね支持体内でカムローラ４６を移動させることができるように構築される。また、ばね支持体４５は、繰返し張力によって発生させられるばねの疲労を低下させるのに役立つ。
【００３４】
第１延長部４１ａに固定された可撓軸３８が給紙グリップコントローラ（即ちカム４２）の所定位置に接触しているとき、第２延長部４１ｂを支持リング３３ｄに密着させた状態で支持リング３３ｄを矢印の方向に中心軸３５の周りを回転させれば、固定軸３９の周りの支持リング３３ｄの外側に第２延長部４１ｂが持ち上げられる。
【００３５】
第２延長部４１ｂが上記のように可撓軸の作用によって持ち上げられている状態で支持リング３３ｄが回転し続けると、可撓軸３８はカム４２から解放され、元の位置に戻る。可撓軸３８が元の位置に戻ったら、ばね４４は、第１延長部４１ａを支持リング３４ｄに向けて引っ張る。従って、支持リング３３ｄの外側に持ち上げられた第２延長部４１ｂは元の位置に戻り、支持リング３３ｄの外側に密着して維持される。
【００３６】
第２延長部４１ｂが持ち上げられるときに用紙が紙搬送経路１０６を経由して搬送されたら、用紙の端部は第２延長部によって掴まれる。給紙グリップコントローラとして働くカム４２は、可撓軸３８に接触して位置を制御するように中心軸３５の周りを所定の角度で回転可能に設けられる。
【００３７】
カム４２と可撓軸３８の間に接触位置を制御するためにカムギア４３が設けられ、カムギアに係合されるカム４２の位置は、カムギアの回転によって制御される。
【００３８】
一方、図６から分かるように、紙搬送経路１０６及び複数の排紙経路１０７、１０８は、紙送りドラム１０５の外側に設けられる。
【００３９】
分岐フリップ１１０が、その動作によって用紙が排紙経路１０７または排紙経路１０８に排出されるように、排紙経路１０７に設けられる。
【００４０】
紙送りドラムを経由して移動する用紙をバッファするために、排紙経路１０８にシートバッファが設けられる。
【００４１】
シートバッファの構造及び動作について、図８を参照して説明する。
【００４２】
シートバッファには、用紙ガイド５０と、ソレノイド５１と、ソレノイド５１を駆動させることによって用紙ガイドを作動させる用紙ガイドリンク５２と、リンクを支持するリンク支持軸５３と、リンク支持軸を弾性的に支持するばね５４とが含まれる。
【００４３】
用紙ガイドの突起部５０ａは、ソレノイドの動作によって回動軸５５の周りを紙送りドラム１０５の内側または外側に移動させられる。突起部５０ａが給紙ローラ間の一部または支持リングを経由して中心軸３５に移動させられると、紙送りドラムの外側に沿って移動する用紙は、用紙ガイドの突起部５０ａに引っ掛けられ、バッファされる。対照的に、突起部５０ａが紙送りドラムの中心軸と反対の方向（支持リングまたはローラの外側）に移動させられると、用紙はバッファされず、排紙経路１０８を経由して排紙される。
【００４４】
前述の本発明のシートフィーダにおいて、用紙Ｐ１は給紙グリップ３６ａ、３６ｂ、３６ｃ、３６ｄに掴まれ、図４から分かるように紙送りドラムの外側に沿って搬送される。
【００４５】
紙送りドラムの外側に沿って搬送される用紙は、支持リング３３ａ、３３ｂ、３３ｃ、３３ｄ及び給紙ローラ３４ａ、３４ｂ、３４ｃ、３４ｄの回転方向に沿って搬送される。給紙ローラに設けられるアイドルローラ３７ａ、３７ｂ、３７ｃ、３７ｄは、用紙の搬送を容易にするのに役立ち、給紙ローラの回転方向と反対の方向に回転させられる。
【００４６】
用紙Ｐ１は、シートバッファを構成する用紙ガイド５０によってバッファされ、用紙Ｐ１に続く用紙Ｐ２は、給紙グリップが用紙Ｐ２を掴んだ状態で用紙Ｐ１の後端部で一番下に搬送される。用紙Ｐ２は、次に用紙ガイド５０によってバッファされる。給紙グリップは、用紙Ｐ１、Ｐ２、Ｐ３が順に正確にバッファされるように導くのに役立つ。
【００４７】
一例として、小さいサイズの用紙をバッファ及び排出する動作について図９乃至図１４を参照して説明する。
【００４８】
先ず、図９に示されているように、用紙Ｐ１が、紙搬送経路１０６を経由して搬送され、カム４２によって開かれる給紙グリップ１３６ｄの第２延長部４１ｂに引っ掛けられる。
【００４９】
図１０に示されているように、用紙Ｐ２が、紙搬送経路１０６を経由して搬送され、カム４２によって開かれる給紙グリップ１３６ｄの第２延長部１４１ｂに引っ掛けられる。カム４２から解放された給紙グリップ３６ｄは、第２延長部４１ｂが閉じられた後に用紙Ｐ１の端部を掴んだ状態で、紙送りドラムの外側に沿って搬送される。
【００５０】
続いて、図１１に示されているように、用紙Ｐ３が、紙搬送経路１０６を経由して搬送され、カム４２によって開かれる給紙グリップ２３６ｄの第２延長部２４１ｂに引っ掛けられる。カム４２から解放された給紙グリップ１３６ｄは、第２延長部１４１ｂが閉じられた後に用紙Ｐ２の端部を掴んだ状態で、紙送りドラムの外側に沿って搬送される。用紙Ｐ２が次に続く用紙Ｐ１は、用紙ガイド５０の突起部５０ａに引っ掛けられるので、給紙グリップ３６ｄの第２延長部４１ｂから放出される。用紙Ｐ１はその後バッファされ、給紙グリップ３６ｄは排紙経路１０８から放出される。
【００５１】
用紙は、上記したように順に正確に積み重ねられた後にバッファされる。
【００５２】
用紙を順に積み重ねる過程について、図１２を参照して説明する。
【００５３】
用紙Ｐ１がバッファされた後、用紙Ｐ２が、給紙グリップ１３６ｄによって掴まれた状態で用紙Ｐ１の端部に搬送されるとき、用紙Ｐ２を掴む給紙グリップの第２延長部１４１ｂは、支持リング３３ｄの外側に密着されて維持される。従って、第２延長部１４１ｂは、用紙Ｐ２を用紙Ｐ１の下に積み重ねられるように導くために、用紙Ｐ１の後端部で一番下に移動させられる。換言すれば、後から搬送される用紙は、支持リング３３ｄに近い部分上にバッファされる。
【００５４】
所定枚数の用紙が図１３に示されているようにバッファされると、バッファされた用紙が排紙経路１０８を経由してシートフィニッシャ（図示せず）に排出されるように用紙ガイド５０が図１４に示されているように開放される。
【００５５】
新しい用紙は、紙搬送経路１０６を経由して搬送され、バッファされた用紙は、シートフィニッシャに排出される。
【００５６】
バッファされる用紙の１枚目は、給紙グリップによって掴まれないことがある。しかし、他の用紙は、用紙のバッファ順序が変わらないように給紙グリップによって掴まれた状態で搬送されることとする。従って、バッファされる用紙の最後の１枚は、給紙グリップによって掴まれた状態で搬送され、次に来るバッファされる用紙（次に来る用紙ロット）の１枚目は、給紙グリップが働かない状態で制御されることがある。
【００５７】
大きいサイズの用紙のバッファ過程について、図１５及び図１６を参照して説明する。
【００５８】
図１５に示されているように、第２の用紙Ｐ２は、第１の用紙Ｐ１がバッファされた後、給紙グリップ３６ｄの第２延長部４１ｂによって掴まれた状態で搬送される。次に来るバッファされる用紙の第１の用紙Ｐ３は、紙搬送経路１０６の入口で給紙グリップ２３６ｄを働かせられないことによって掴まれない。給紙グリップ２３６ｄの動作は、カムギア４３を利用してカム４２の位置を制御することによって制御される。
【００５９】
図１５とは異なり、図１６においてカム４２の位置は右側に傾けられているので、紙搬送経路１０６の近くにある給紙グリップ２３６ｄの動作を制御する可撓軸３８は、カム４２の位置から解放される。それゆえ、用紙Ｐ３は、第２延長部２４１ｂによって掴まれることができない。
【００６０】
一方、図１７は、紙搬送経路１０６を経由して搬送される用紙Ｐ１、Ｐ２、Ｐ３、Ｐ４が、バッファされることなく紙送りドラムを経由して排紙経路１０８に直接排紙されるような構造を示す。
【００６１】
給紙グリップ３６ｄが紙搬送経路１０６の位置に動かされるとき、用紙がバッファ操作なしに排紙経路に直接排出されると、給紙グリップの第２延長部４１ｂが閉じられる。この場合、用紙が第２延長部に掴まれないようにカム４２の位置を制御することができる。更に、図１８に示されているように排紙経路１０７に設けられた分岐フリップ１１０を制御することによって、用紙は排紙経路１０７に排出されることがある。
【図面の簡単な説明】
【００６２】
【図１】従来技術のシートフィーダの構造。
【図２】従来技術のシートフィーダの構造。
【図３】従来技術のシートフィーダの構造。
【図４】本発明に基づくシートフィーダの立体図。
【図５】本発明に基づくシートフィーダの平面図。
【図６】本発明に基づくシートフィーダの側面図。
【図７】本発明に基づくシートフィーダにおける給紙グリップの動作を示す図。
【図８】本発明に基づくシートフィーダにおける用紙ガイドの動作を示す図。
【図９】本発明に基づくシートフィーダにおいて小さいサイズの用紙がバッファ及び排出される過程を示す図。
【図１０】本発明に基づくシートフィーダにおいて小さいサイズの用紙がバッファ及び排出される過程を示す図。
【図１１】本発明に基づくシートフィーダにおいて小さいサイズの用紙がバッファ及び排出される過程を示す図。
【図１２】本発明に基づくシートフィーダにおいて小さいサイズの用紙がバッファ及び排出される過程を示す図。
【図１３】本発明に基づくシートフィーダにおいて小さいサイズの用紙がバッファ及び排出される過程を示す図。
【図１４】本発明に基づくシートフィーダにおいて小さいサイズの用紙がバッファ及び排出される過程を示す図。
【図１５】本発明に基づくシートフィーダにおいて大きいサイズの用紙がバッファ及び排出される過程を示す図。
【図１６】本発明に基づくシートフィーダにおいて大きいサイズの用紙がバッファ及び排出される過程を示す図。
【図１７】本発明に基づくシートフィーダにおいて用紙がバッファされることなく排紙経路に直接排紙されるような構造。
【図１８】本発明に基づくシートフィーダにおいて分岐フリップによって用紙の経路が変更されるような構造。
【符号の説明】
【００６３】
５、１０５  紙送りドラム
６、１０６  紙搬送経路
７、８、１０７、１０８  排紙経路
１０、１１、１１０  分岐フリップ
３３ａ、３３ｂ、３３ｃ、３３ｄ  支持リング
３４ａ、３４ｂ、３４ｃ、３４ｄ  給紙ローラ
３５  中心軸
３６ａ、３６ｂ、３６ｃ、３６ｄ、１３６ｄ、２３６ｄ  給紙グリップ
３７ａ、３７ｂ、３７ｃ、３７ｄ  アイドルローラ
３８  可撓軸
３９  固定軸
４０、５４  ばね
４１ａ、１４１ａ、２４１ａ  給紙グリップの第１延長部
４１ｂ、１４１ｂ、２４１ｂ  給紙グリップの第２延長部
４２  カム
４３  カムギア
４５  ばね支持体
４６  カムローラ
５０  用紙ガイド
５０ａ  用紙ガイドの突起部
５１  ソレノイド
５２  リンク
５３  リンク支持軸
Ｐ１、Ｐ２、Ｐ３、Ｐ４  用紙
【図１】
2008512329.tif 000003
【図２】
2008512329.tif 000004
【図３】
2008512329.tif 000005
【図４】
2008512329.tif 000006
【図５】
2008512329.tif 000007
【図６】
2008512329.tif 000008
【図７】
2008512329.tif 000009
【図８】
2008512329.tif 000010
【図９】
2008512329.tif 000011
【図１０】
2008512329.tif 000012
【図１１】
2008512329.tif 000013
【図１２】
2008512329.tif 000014
【図１３】
2008512329.tif 000015
【図１４】
2008512329.tif 000016
【図１５】
2008512329.tif 000017
【図１６】
2008512329.tif 000018
【図１７】
2008512329.tif 000019
【図１８】
2008512329.tif 000020
【国際調査報告】
2008512329.tif 000021
2008512329.tif 000022